(57)【特許請求の範囲】
【請求項１】
少なくとも画像読み取り機能及び画像印刷機能を有する多機能装置であって、
使用者により操作され、前記複数種の機能のうち使用する機能を選択するための選択手段と、
情報を表示する情報表示手段と、
前記選択手段により選択された機能に基づいて、その選択された機能及びこの選択された機能が有する複数のオプション項目を前記情報表示手段に表示させる機能情報表示手段と、
使用者によって操作される入力手段とを備え、
前記機能情報表示手段は、選択された機能及びこの選択された機能が有する複数のオプション項目のうち当該選択された機能に関するオプション項目を同一色を基調とした形態で表示する機能表示部位と、前記入力手段により入力された当該機能についての情報を表示する入力情報表示部位とを異なる表示色で同時に表示することを特徴とする多機能装置。
【請求項２】
前記選択手段により選択可能な機能として、写真と同程度の画質にて印刷を行うフォト印刷機能を有すことを特徴とする請求項１に記載の多機能装置。
【請求項３】
前記機能情報表示手段は、選択された機能毎に異なる表示色にて表示することにより、表示形態を選択された機能毎に異ならせることを特徴とする請求項１又は２に記載の多機能装置。
【請求項４】
使用者により操作されるとともに、複数種の機能のうち使用者が使用する機能を選択するための選択手段、使用者によって操作される入力手段、及び情報を表示する情報表示手段を有する多機能装置に用いられ、
前記選択手段により選択された機能に基づいて、その選択された機能及びこの選択された機能が有する複数のオプション項目を前記情報表示手段に表示させる多機能装置用表示プログラムであって、
前記多機能装置を、
選択された機能毎に異なる表示形態にて前記選択された機能及びこの選択された機能が有する複数のオプション項目のうち当該選択された機能に関する項目を同一色を基調とした形態で機能表示部位と、前記入力手段により入力された当該機能についての情報を表示する入力情報表示部位とを異なる表示色で同時に前記情報表示手段に表示させる機能情報表示手段
として機能させることを特徴とする多機能装置用表示プログラム。
【請求項５】
前記機能情報表示手段は、選択された機能毎に異なる表示色にて表示することにより、表示形態を選択された機能毎に異ならせることを特徴とする請求項４に記載の多機能装置用表示プログラム。
【発明の詳細な説明】
【技術分野】
【０００１】
本発明は、複数種の機能を有する多機能装置に関するもので、特に、画像読み取り機能や画像印刷機能を有する多機能装置に適用して有効である。
【背景技術】
【０００２】
複数種の機能を有する多機能装置では、使用者（ユーザ）が選択ボタン等の選択手段を操作することによって、使用する機能が選択される（例えば、特許文献１参照）。
そして、その選択された機能にオプションがある場合には、ＬＣＤ等の表示装置に選択された機能のオプション情報が表示され、使用者は、その表示されたオプション情報の中から使用すべきオプションを選択する。
【特許文献１】特開２００１−２７４９３９号公報
【発明の開示】
【発明が解決しようとする課題】
【０００３】
ところで、表示装置に表示される選択された機能やその機能に関するオプション情報は、通常、白又は黒の単色で構成された文字のみで表示されている。
このため、従来の多機能装置では、文字を正確に読まなければ、選択された機能やオプション情報を認識することができないため、一瞬（短時間）で選択された機能やオプション情報を認識することができないという問題があった。
【０００４】
本発明は、上記点に鑑み、一瞬（短時間）で選択された機能等を容易に認識することができるようにすることを目的とする。
【課題を解決するための手段】
【０００５】
本発明は、上記目的を達成するために、請求項１に記載の発明では、  少なくとも画像読み取り機能及び画像印刷機能を有する多機能装置であって、  使用者により操作され、複数種の機能のうち使用する機能を選択するための選択手段と、  情報を表示する情報表示手段と、  選択手段により選択された機能に基づいて、その選択された機能及びこの選択された機能が有する複数のオプション項目を情報表示手段に表示させる機能情報表示手段と、  使用者によって操作される入力手段とを備え、  機能情報表示手段は、選択された機能及びこの選択された機能が有する複数のオプション項目のうち当該選択された機能に関するオプション項目を同一色を基調とした形態で表示する機能表示部位と、入力手段により入力された当該機能についての情報を表示する入力情報表示部位とを異なる表示色で同時に表示することを特徴とする。
【０００６】
これにより、本発明では、選択された機能又はこれに関する情報が、選択された機能毎に異なる表示形態で表示されることになるので、一瞬（短時間）で選択された機能等を容易に認識することができる。
つまり、選択された機能を表示する機能表示部位と、入力手段により入力された情報を表示する入力情報表示部位とを容易に識別することができるので、使用者は、自ら入力した情報及び選択した機能を、一瞬（短時間）、かつ、確実に認識することができるとともに、機能表示部位と入力情報表示部位とを容易、かつ、確実に識別することができるので、自ら入力した情報及び選択した機能を、より一層、一瞬（短時間）、かつ、確実に認識することができる。
【０００９】
なお、選択手段により選択可能な機能としては、請求項２に記載のように、写真と同程度の画質にて印刷を行うフォト印刷機能を設けてもよい。
請求項３に記載の発明では、機能情報表示手段は、選択された機能毎に異なる表示色にて表示することにより、表示形態を選択された機能毎に異ならせることを特徴とする。
【００１０】
これにより、本発明では、表示色により選択された機能を識別することができるので、選択された機能等をより確実に認識することができる。
【００１３】
請求項４に記載の発明では、  使用者により操作されるとともに、複数種の機能のうち使用者が使用する機能を選択するための選択手段、使用者によって操作される入力手段、及び情報を表示する情報表示手段を有する多機能装置に用いられ、  選択手段により選択された機能に基づいて、その選択された機能及びこの選択された機能が有する複数のオプション項目を情報表示手段に表示させる多機能装置用表示プログラムであって、  多機能装置を、  選択された機能毎に異なる表示形態にて選択された機能及びこの選択された機能が有する複数のオプション項目のうち当該選択された機能に関する項目を同一色を基調とした形態で機能表示部位と、入力手段により入力された当該機能についての情報を表示する入力情報表示部位とを異なる表示色で同時に情報表示手段に表示させる機能情報表示手段  として機能させることを特徴とする。
【００１４】
これにより、本発明も請求項１に記載の発明と同様に、選択された機能又はこれに関する情報が、選択された機能毎に異なる表示形態で表示されることになるので、一瞬（短時間）で選択された機能等を容易に認識することができる。
【００１５】
請求項５に記載の発明では、機能情報表示手段は、選択された機能毎に異なる表示色にて表示することにより、表示形態を選択された機能毎に異ならせることを特徴とする。
これにより、本発明も請求項３に記載の発明と同様に、表示色により選択された機能を識別することができるので、選択された機能等をより確実に認識することができる。
【発明を実施するための最良の形態】
【００１９】
以下に本発明の実施形態を図面と共に説明する。
本実施形態は、ファクシミリ機能、画像読み取り機能（スキャニング機能）、複写機能（コピー印刷機能）、写真と同程度の画質にて印刷を行うフォト印刷機能（デジカメプリント機能）、及びプリンタ機能（印刷機能）を備える多機能装置に本発明を適用したものである。
【００２０】
なお、図１は本実施形態に係る多機能装置１を上面からみた上面図であり、図２は多機能装置１の電気的構成を示したブロック図である。
１．多機能装置１の概略構成
多機能装置１には、図２に示すように、ＣＰＵ（Ｃｅｎｔｒａｌ  Ｐｒｏｃｅｓｓｉｎｇ  ｕｎｉｔ）２１、ＲＯＭ（Ｒｅａｄ  Ｏｎｌｙ  Ｍｅｍｏｒｙ）２２、ＦｌａｓｈＲＯＭ（Ｆｌａｓｈ  Ｒｅａｄ  Ｏｎｌｙ  Ｍｅｍｏｒｙ）２３、ＲＡＭ（Ｒａｎｄｏｍ  Ａｃｃｅｓｓ  Ｍｅｍｏｒｙ）２４、画像メモリ２５、回線Ｉ／Ｆ（Ｉｎｔｅｒｆａｃｅ）部２６、モデム２７、バッファ２８、スキャナ２９、符号化部３０、及び復号化部３１等から構成される制御回路、並びにプリンタ３２、操作パネル２、表示パネル１６及びアンプ３３等が設けられており、これらがバスライン３４を介して互いに接続されている。
【００２１】
そして、操作パネル２は、図１に示すように、多機能装置１の前端側上面に配置されており、この操作パネル２には、多機能装置１の電源スイッチ３、機能選択キー１１〜１４やテンキー（数字キー）１５等の入力スイッチ、及び表示パネル１６等が設けられている。
【００２２】
なお、本実施形態では、表示パネル１６は液晶表示装置からなるカラー表示装置にて構成されており、この表示パネル１６は、機能選択キー１１〜１４やテンキー１５等の入力スイッチの操作に基づくＣＰＵ２１からの指令信号に従って、様々な情報を文字又は画像を介してユーザに向けて表示する情報表示手段を構成するものである。
【００２３】
また、停止／終了スイッチ４は、現在実行されている作業（例えば、コピー印刷作業）を強制的に終了させる強制停止手段であり、カラースタートスイッチ５は、コピー印刷や画像読み取り作業をカラーにて実行させるためのカラー起動手段であり、モノクロスタートスイッチ６は、コピー印刷や画像読み取り作業をモノクロ（白黒）にて実行させるための白黒起動手段である。
【００２４】
ポインティングキー７は、表示パネル１６に表示された情報項目等を選択（フォーカス）するためのポインティング手段であり、ＯＫキー８は、ポインティングキー７により選択された項目を確定する選択項目確定手段であり、クリアキー９は、ＯＫキー８によって確定した内容を解除（キャンセル）する選択項目解除手段であり、メニューキー１０は、多機能装置１を作動させるための各種設定項目を表示パネル１６に表示させるための設定項目表示手段である。
【００２５】
選択キー１１（以下、デジカメプリントキー１１という）はフォト印刷機能を選択するための選択手段であり、選択キー１２（以下、コピーキー１２という）はコピー印刷機能を選択するための選択手段であり、選択キー１３（以下、ファックスキー１３という）はファクシミリ機能を選択するための選択手段であり、選択キー１４（以下、スキャンキー１４という）は画像読み取り機能を選択するための選択手段である。
【００２６】
また、図２に示された回線Ｉ／Ｆ部２６は、回線制御を行うためのものであり、この回線Ｉ／Ｆ部２６は、交換機３５から送られる呼出信号（リング信号）や相手側装置の電話番号（発信者番号）を示す信号等の各種信号を受信するとともに、テンキー１５の操作に応じた発信時のダイヤル信号を交換機３５へ送信する。
【００２７】
また、回線Ｉ／Ｆ部２６には、外付電話機３０を接続するための外付電話端子（図示せず）が設けられており、多機能装置１及び外付電話機３０は、この回線Ｉ／Ｆ部２６を介して電話回線に接続される。
【００２８】
ＣＰＵ２１は、回線Ｉ／Ｆ部２６を介して送受信される各種信号に従って、バスライン３４により接続された各部を制御し、ファクシミリ機能や画像読み取り機能等を実行するものである。ＲＯＭ２２は、この多機能装置１で実行される制御プログラム等を格納した読出専用記憶装置であり、このＲＯＭ２２には、図８〜図１２に示されるフローチャートを実行するプログラムが格納されている。
【００２９】
ＦｌａｓｈＲＯＭ２３は、多機能装置１の電源オフ後も書き込まれた（記憶された）データが保持される書換可能な不揮発性記憶装置であり、ＲＡＭ２４は、多機能装置１の各動作の実行時に各種のデータを一時的に記憶するための逐次読書可能記憶装置である。
【００３０】
画像メモリ２５は、通信履歴、画像データ及び印刷のためのビットイメージやスキャナ２９によって読み取られた画像データを記憶するための記憶装置であり、安価な大容量メモリであるダイナミックＲＡＭ（ＤＲＡＭ）により構成されている。そして、受信された画像データは、一旦画像メモリ２５に記憶され、プリンタ３２によって記録紙に印刷された後に、この画像メモリ２５から消去される。
【００３１】
モデム２７は、画情報及び通信データを変調及び復調して伝送するとともに、伝送制御用の各種手順信号を送受信するためのものであり、バッファ２８は、相手側装置との間で送受信される符号化された画情報を含むデータを一時的に記憶するためのものである。
【００３２】
スキャナ２９は、原稿挿入口（図示せず）に挿入された原稿を画像データとして読み取るためのものであり、符号化部３０は、スキャナ２９により読み取られた画像データの符号化を行うものであり、復号化部３１は、バッファ２８又は画像メモリ２５に記憶された画像データを読み出して、これを復号化するものである。そして、復号化されたデータは、プリンタ３２により記録紙に印刷される。
【００３３】
因みに、本実施形態に係るプリンタ３２は、記録紙を搬送する記録紙用搬送モータ、印字ヘッドを搭載したキャリッジを移動させるキャリッジモータ、及び記録紙へインクを吐出する印字ヘッド等を備えた、周知のインクジェット方式のプリンタで構成されている。
【００３４】
アンプ３３は、そのアンプ３３に接続されたスピーカ２８を鳴動して、呼出音や音声を出力するためのものである。
２．本実施形態に係る多機能装置１の特徴的作動
本実施形態に係る多機能装置１では、デジカメプリントキー１１等の選択キー１１〜１４のいずれか選択されると、その選択された機能及びこれに関するオプション情報等が、選択された機能毎に異なる表示色にて表示パネル１６に表示される。
【００３５】
すなわち、いずれの選択キー１１〜１４も操作されていない場合、又はいずれかの選択キー１１〜１４が操作された後、所定時間（本実施形態では、３０秒）内にＯＫキー８やカラースタートキー５等が操作されず、選択された機能が実行されない場合には、表示パネル１６には、標準画像が表示される。
【００３６】
なお、本実施形態では、標準画像として、図３に示すように、現在の日時を表示した画像が表示されるが、この標準画像は、ユーザが設定することにより変更することができる。
【００３７】
そして、選択キー１１〜１４が操作されると、その機能が選択された旨及びその選択された機能が有するオプション項目が、その機能を表す色を基調として表示される。具体的には、デジカメプリントキー１１が操作されると、図４に示すように、表示パネル１６にフォト印刷機能が選択された旨及びフォト印刷機能が有するオプション項目が、赤色を基調とした色彩（形態）にて表示され、コピーキー１２が操作されると、図５に示すように、表示パネル１６にコピー印刷機能が選択された旨及びコピー印刷機能が有するオプション項目が、緑色を基調とした色彩（形態）にて表示される。
【００３８】
また、ファックスキー１３が操作されると、図６に示すように、表示パネル１６にファクシミリ機能が選択された旨及びファクシミリ機能が有するオプション項目が、青色を基調とした色彩（形態）にて表示され、スキャンキー１４が操作されると、図７に示すように、表示パネル１６に画像読み取り機能が選択された旨及び画像読み取り機能が有するオプション項目が、黄色を基調とした色彩（形態）にて表示される。
【００３９】
また、コピーキー１２又はファックスキー１３が操作された場合には、その機能が選択された旨及びその選択された機能が有するオプション項目が、その機能を表す色を基調として表示されるとともに、図５及び図６に示すように、テンキー１５等を介してユーザによって直接入力された情報を表示する入力情報表示部位Ａと、選択された機能を表示する機能表示部位Ｂとが異なる色にて表示される。
【００４０】
すなわち、コピーキー１２が操作されてコピー印刷機能が選択された場合には、機能表示部位Ｂにコピー印刷機能が選択された旨が緑色を基調として表示されるともに、この状態でテンキー１５が操作されると、その操作されたテンキー１５に対応する数字が印刷枚数として入力情報表示部位Ａに白黒表示される。
【００４１】
また、ファックスキー１３が操作されてファクシミリ機能が選択された場合には、機能表示部位Ｂにファクシミリ機能が選択された旨が青色を基調として表示されるともに、この状態でテンキー１５が操作されると、その操作されたテンキー１５に対応する数字が送信先番号（ＦＡＸ番号）として入力情報表示部位Ａに白黒表示される。
【００４２】
ところで、図８〜図１２は上記の作動制御を示すフローチャートであり、以下、図８〜図１２に従って本実施形態の特徴的作動の制御フローを説明する。
２．１．メイン制御フロー（図８参照）
電源スイッチ３が投入されると、メイン制御フロー（図８）が起動されるとともに、表示パネル１６に標準画像（図３参照）が表示されて、使用者から入力を待つ待機状態である旨が表示される（Ｓ１）。
【００４３】
そして、選択キー１１〜１４やポインティングキー７等のいずれかのキーが操作されたか否かが判定され（Ｓ３）、いずかのキーが操作されたと判定された場合には（Ｓ３：ＹＥＳ）、いずれの選択キー１１〜１４が操作されたか否かが判定され（Ｓ５〜Ｓ１１）、一方、選択キー１１〜１４やポインティングキー７等のうちいずれのキーも操作されていないと判定された場合には（Ｓ３：ＮＯ）、再度いずれかのキーが操作されたか否かが判定される（Ｓ３）。
【００４４】
また、選択キー１１〜１４のうちいずれのキーも操作されていないと判定された場合、つまりＳ５〜Ｓ１１全ての判定ステップにてＮＯと判定された場合には、操作されたキーに対応した機能（ジョブ）が実行された後（Ｓ１３）、Ｓ１に戻る。
【００４５】
さて、Ｓ５にてデジカメプリントキー１１が操作されたと判定された場合には（Ｓ５：ＹＥＳ）、表示パネル１６にフォト印刷機能（デジカメプリント機能）が選択された旨及びフォト印刷機能が有するオプション項目が、赤色を基調とした色彩にて表示される（Ｓ１５）。そして、フォト印刷機能が有するいずれかのオプション機能が選択されてフォト印刷機能が実行されると（Ｓ１７）、再度Ｓ１に戻り待機状態となる。なお、Ｓ１７の詳細は後述する。
【００４６】
また、Ｓ７にてコピーキー１２が操作されたと判定された場合には（Ｓ７：ＹＥＳ）、コピー印刷機能が選択された旨及びコピー印刷機能が有するオプション項目が、緑色を基調とした色彩にて表示される（Ｓ１９）。そして、コピー印刷機能が有するいずれかのオプション機能が選択されてコピー印刷機能が実行されると（Ｓ２１）、再度Ｓ１に戻り待機状態となる。なお、Ｓ２１の詳細は後述する。
【００４７】
また、Ｓ９にてファックスキー１３が操作されたと判定された場合には（Ｓ９：ＹＥＳ）、ファクシミリ機能が選択された旨及びファクシミリ機能が有するオプション項目が、青色を基調とした色彩にて表示される（Ｓ２３）。そして、ファクシミリ機能が有するいずれかのオプション機能が選択されてファクシミリ機能が実行されると（Ｓ２５）、再度Ｓ１に戻り待機状態となる。なお、Ｓ２５の詳細は後述する。
【００４８】
また、Ｓ１１にてスキャンキー１４が操作されたと判定された場合には（Ｓ１１：ＹＥＳ）、表示パネル１６に画像読み取り機能が選択された旨及び画像読み取り機能が有するオプション項目が、黄色を基調とした色彩にて表示される（Ｓ２７）。そして、画像読み取り機能が有するいずれかのオプション機能が選択されて画像読み取り機能が実行されると（Ｓ２９）、再度Ｓ１に戻り待機状態となる。なお、Ｓ２９の詳細は後述する。
【００４９】
２．２．フォト印刷機能（デジカメプリント機能）について
フォト印刷機能が選択されると（Ｓ５：ＹＥＳ）、Ｓ１７にて図９に示される制御フローが起動される。そして、先ず、ポインティングキー７やＯＫキー８等のキーのうちいずれが操作されたか否かが判定され（Ｓ３１）、ポインティングキー７等のうちいずれが操作されたと判定された場合には（Ｓ３１：ＹＥＳ）、ポインティングキー７が操作されたか否かが判定される（Ｓ３３）。
【００５０】
そして、ポインティングキー７が操作されたと判定された場合には（Ｓ３３：ＹＥＳ）、その操作回数（操作量）に応じてポインティングキー７によって選択（フォーカス）されたオプション項目（選択項目）が、例えば上下方向に移動させられた後（Ｓ３５）、Ｓ３１に戻る。
【００５１】
一方、ポインティングキー７が操作されていないと判定された場合には（Ｓ３３：ＮＯ）、ＯＫキー８が操作されたか否かが判定され（Ｓ３７）、ＯＫキー８が操作されたと判定された場合には（Ｓ３７：ＹＥＳ）、ポインティングキー７によって選択されたオプション項目（選択項目）が確定された後（Ｓ３９）、Ｓ３１に戻る。
【００５２】
そして、ＯＫキー８が操作されていないと判定された場合には（Ｓ３７：ＮＯ）、クリアキー９が操作されたか否かが判定され（Ｓ４１）、クリアキー９が操作されたと判定された場合には（Ｓ４１：ＹＥＳ）、ポインティングキー７にて選択されたオプション項目が解除（キャンセル）された後（Ｓ４３）、Ｓ３１に戻る。
【００５３】
一方、クリアキー９が操作されていないと判定された場合には（Ｓ４１：ＮＯ）、テンキー１５が操作されたか否かが判定され（Ｓ４５）、テンキー１５が操作された場合には（Ｓ４５：ＹＥＳ）、テンキー１５により入力された数字が印刷部数（印刷枚数）として設定されるともに、その設定された数字が入力情報表示部位Ａに表示された後（Ｓ４７）、Ｓ３１に戻る。
【００５４】
なお、図４では入力情報表示部位Ａが表示されていないが、これは、テンキー１５による入力がされていない場合を示しており、テンキー１５による印刷部数の入力が無い場合には、入力情報表示部位Ａが表示されず、かつ、印刷部数は自動的に１枚として設定される。
【００５５】
また、テンキー１５が操作されていないと判定された場合には（Ｓ４５：ＮＯ）、カラースタートスイッチ５又はモノクロスタートスイッチ６のいずれかが操作されたか否かが判定され（Ｓ４９）、カラースタートスイッチ５又はモノクロスタートスイッチ６のいずれかが操作されたと判定された場合には（Ｓ４９：ＹＥＳ）、現在のオプション設定にてフォト印刷機能が実行されて（Ｓ５１）、本制御が終了する。
【００５６】
なお、本実施形態では、フォト印刷機能の実行時においては、カラースタートスイッチ５又はモノクロスタートスイッチ６のいずれが操作されても、カラーにてフォト印刷が実行される。
【００５７】
一方、カラースタートスイッチ５又はモノクロスタートスイッチ６のいずれかが操作されていないと判定された場合には（Ｓ４９：ＮＯ）、停止／終了スイッチ４が操作されたか否かが判定され（Ｓ５３）、停止／終了スイッチ４が操作されたと判定された場合には（Ｓ５３：ＹＥＳ）、現在のオプション設定が解除された後（Ｓ５５）、本制御が終了する。
【００５８】
また、停止／終了スイッチ４が操作されていないと判定された場合には（Ｓ５３：ＮＯ）、その操作されたキーに対応した機能が実行された後（Ｓ５７）、本制御が終了する。
２．３．コピー印刷機能について
コピー印刷機能が選択されると（Ｓ７：ＹＥＳ）、Ｓ２１にて図１０に示される制御フローが起動される。そして、先ず、ポインティングキー７やＯＫキー８等のキーのうちいずれが操作されたか否かが判定され（Ｓ６１）、ポインティングキー７等のうちいずれが操作されたと判定された場合には（Ｓ６１：ＹＥＳ）、ポインティングキー７が操作されたか否かが判定される（Ｓ６３）。
【００５９】
そして、ポインティングキー７が操作されたと判定された場合には（Ｓ６３：ＹＥＳ）、その操作回数（操作量）に応じてポインティングキー７によって選択（フォーカス）されたオプション項目（選択項目）が、例えば上下方向に移動させられた後（Ｓ６５）、Ｓ６１に戻る。
【００６０】
一方、ポインティングキー７が操作されていないと判定された場合には（Ｓ６３：ＮＯ）、ＯＫキー８が操作されたか否かが判定され（Ｓ６７）、ＯＫキー８が操作されたと判定された場合には（Ｓ６７：ＹＥＳ）、ポインティングキー７によって選択されたオプション項目（選択項目）が確定された後（Ｓ６９）、Ｓ６１に戻る。
【００６１】
そして、ＯＫキー８が操作されていないと判定された場合には（Ｓ６７：ＮＯ）、クリアキー９が操作されたか否かが判定され（Ｓ７１）、クリアキー９が操作されたと判定された場合には（Ｓ７１：ＹＥＳ）、ポインティングキー７にて選択されたオプション項目が解除（キャンセル）された後（Ｓ７３）、Ｓ６１に戻る。
【００６２】
一方、クリアキー９が操作されていないと判定された場合には（Ｓ７１：ＮＯ）、テンキー１５が操作されたか否かが判定され（Ｓ７５）、テンキー１５が操作された場合には（Ｓ７５：ＹＥＳ）、テンキー１５により入力された数字が印刷部数（印刷枚数）として設定されるともに、その設定された数字が入力情報表示部位Ａに表示された後（Ｓ７７）、Ｓ６１に戻る。
【００６３】
また、テンキー１５が操作されていないと判定された場合には（Ｓ７５：ＮＯ）、カラースタートスイッチ５又はモノクロスタートスイッチ６のいずれかが操作されたか否かが判定され（Ｓ７９）、カラースタートスイッチ５又はモノクロスタートスイッチ６のいずれかが操作されたと判定された場合には（Ｓ７９：ＹＥＳ）、現在のオプション設定にてコピー印刷機能が実行されて（Ｓ８１）、本制御が終了する。
【００６４】
一方、カラースタートスイッチ５又はモノクロスタートスイッチ６のいずれかが操作されていないと判定された場合には（Ｓ７９：ＮＯ）、停止／終了スイッチ４が操作されたか否かが判定され（Ｓ８３）、停止／終了スイッチ４が操作されたと判定された場合には（Ｓ８３：ＹＥＳ）、現在のオプション設定が解除された後（Ｓ８５）、本制御が終了する。
【００６５】
また、停止／終了スイッチ４が操作されていないと判定された場合には（Ｓ８３：ＮＯ）、その操作されたキーに対応した機能が実行された後（Ｓ８７）、本制御が終了する。
２．４ファクシミリ印刷機能について
ファクシミリ機能が選択されると（Ｓ９：ＹＥＳ）、Ｓ２５にて図１１に示される制御フローが起動される。そして、先ず、ポインティングキー７やＯＫキー８等のキーのうちいずれが操作されたか否かが判定され（Ｓ９１）、ポインティングキー７等のうちいずれが操作されたと判定された場合には（Ｓ９１：ＹＥＳ）、ポインティングキー７が操作されたか否かが判定される（Ｓ９３）。
【００６６】
そして、ポインティングキー７が操作されたと判定された場合には（Ｓ９３：ＹＥＳ）、その操作回数（操作量）に応じてポインティングキー７によって選択（フォーカス）されたオプション項目（選択項目）が、例えば上下方向に移動させられた後（Ｓ９５）、Ｓ９１に戻る。
【００６７】
一方、ポインティングキー７が操作されていないと判定された場合には（Ｓ９３：ＮＯ）、ＯＫキー８が操作されたか否かが判定され（Ｓ９７）、ＯＫキー８が操作されたと判定された場合には（Ｓ９７：ＹＥＳ）、ポインティングキー７によって選択されたオプション項目（選択項目）が確定された後（Ｓ９９）、Ｓ９１に戻る。
【００６８】
そして、ＯＫキー８が操作されていないと判定された場合には（Ｓ９７：ＮＯ）、クリアキー９が操作されたか否かが判定され（Ｓ１０１）、クリアキー９が操作されたと判定された場合には（Ｓ１０１：ＹＥＳ）、ポインティングキー７にて選択されたオプション項目が解除（キャンセル）された後（Ｓ１０３）、Ｓ９１に戻る。
【００６９】
一方、クリアキー９が操作されていないと判定された場合には（Ｓ１０１：ＮＯ）、テンキー１５が操作されたか否かが判定され（Ｓ１０５）、テンキー１５が操作された場合には（Ｓ１０５：ＹＥＳ）、テンキー１５により入力された数字が送信先番号（ＦＡＸ番号）として設定されるともに、その設定された数字が入力情報表示部位Ａに表示された後（Ｓ１０７）、Ｓ９１に戻る。
【００７０】
また、テンキー１５が操作されていないと判定された場合には（Ｓ１０５：ＮＯ）、カラースタートスイッチ５又はモノクロスタートスイッチ６のいずれかが操作されたか否かが判定され（Ｓ１０９）、カラースタートスイッチ５又はモノクロスタートスイッチ６のいずれかが操作されたと判定された場合には（Ｓ１０９：ＹＥＳ）、現在のオプション設定にてファクシミリデータ機能が実行されて（Ｓ１１１）、本制御が終了する。
【００７１】
一方、カラースタートスイッチ５又はモノクロスタートスイッチ６のいずれかが操作されていないと判定された場合には（Ｓ１０９：ＮＯ）、停止／終了スイッチ４が操作されたか否かが判定され（Ｓ１１３）、停止／終了スイッチ４が操作されたと判定された場合には（Ｓ１１３：ＹＥＳ）、現在のオプション設定が解除された後（Ｓ１１５）、本制御が終了する。
【００７２】
また、停止／終了スイッチ４が操作されていないと判定された場合には（Ｓ１１３：ＮＯ）、その操作されたキーに対応した機能が実行された後（Ｓ１１７）、本制御が終了する。
【００７３】
２．５画像読み取り印刷機能について
画像読み取り（スキャン）機能が選択されると（Ｓ１１：ＹＥＳ）、Ｓ２９にて図１２に示される制御フローが起動される。そして、先ず、ポインティングキー７やＯＫキー８等のキーのうちいずれが操作されたか否かが判定され（Ｓ１２１）、ポインティングキー７等のうちいずれが操作されたと判定された場合には（Ｓ１２１：ＹＥＳ）、ポインティングキー７が操作されたか否かが判定される（Ｓ１２３）。
【００７４】
そして、ポインティングキー７が操作されたと判定された場合には（Ｓ１２３：ＹＥＳ）、その操作回数（操作量）に応じてポインティングキー７によって選択（フォーカス）されたオプション項目（選択項目）が、例えば上下方向に移動させられた後（Ｓ１２５）、Ｓ１２１に戻る。
【００７５】
一方、ポインティングキー７が操作されていないと判定された場合には（Ｓ１２３：ＮＯ）、ＯＫキー８が操作されたか否かが判定され（Ｓ１２７）、ＯＫキー８が操作されたと判定された場合には（Ｓ１２７：ＹＥＳ）、ポインティングキー７によって選択されたオプション項目（選択項目）が確定された後（Ｓ１２９）、Ｓ１２１に戻る。
【００７６】
そして、ＯＫキー８が操作されていないと判定された場合には（Ｓ１２７：ＮＯ）、クリアキー９が操作されたか否かが判定され（Ｓ１３１）、クリアキー９が操作されたと判定された場合には（Ｓ１３１：ＹＥＳ）、ポインティングキー７にて選択されたオプション項目が解除（キャンセル）された後（Ｓ１３３）、Ｓ１２１に戻る。
【００７７】
一方、クリアキー９が操作されていないと判定された場合には（Ｓ１３１：ＮＯ）、カラースタートスイッチ５又はモノクロスタートスイッチ６のいずれかが操作されたか否かが判定され（Ｓ１３５）、カラースタートスイッチ５又はモノクロスタートスイッチ６のいずれかが操作されたと判定された場合には（Ｓ１３５：ＹＥＳ）、現在のオプション設定にて画像読み取り機能が実行されて（Ｓ１３７）、本制御が終了する。
【００７８】
一方、カラースタートスイッチ５又はモノクロスタートスイッチ６のいずれかが操作されていないと判定された場合には（Ｓ１３５：ＮＯ）、停止／終了スイッチ４が操作されたか否かが判定され（Ｓ１３９）、停止／終了スイッチ４が操作されたと判定された場合には（Ｓ１３９：ＹＥＳ）、現在のオプション設定が解除された後（Ｓ１４１）、本制御が終了する。
【００７９】
また、停止／終了スイッチ４が操作されていないと判定された場合には（Ｓ１３９：ＮＯ）、その操作されたキーに対応した機能が実行された後（Ｓ１４３）、本制御が終了する。
【００８０】
３．本実施形態に係る多機能装置の特徴
本実施形態に係る多機能装置１では、選択キー１１〜１４が操作されると、その機能が選択された旨及びその選択された機能が有するオプション項目が、その機能を表す色を基調として表示されるので、一瞬（短時間）で選択された機能等を容易に認識することができる。
【００８１】
また、入力情報表示部位Ａと機能表示部位Ｂとを異なる表示色で表示するので、入力情報表示部位Ａと機能表示部位Ｂとを容易、かつ、確実に識別することができる。したがって、使用者は、自ら入力した情報及び選択した機能を、より一層、一瞬（短時間）、かつ、確実に認識することができる。
【００８２】
４．発明特定事項と実施形態との対応関係
本実施形態では、表示パネル１６が特許請求の範囲に記載された情報表示手段に相当し、テンキー１５が特許請求の範囲に記載された入力手段に相当し、選択キー１１〜１４が特許請求の範囲に記載された選択手段に相当し、Ｓ１５〜Ｓ２９が特許請求の範囲に記載された機能情報表示手段に相当する。
【００８３】
（その他の実施形態）
上述の実施形態では、ファクシミリ機能、画像読み取り機能（スキャニング機能）、複写機能（コピー印刷機能）、写真と同程度の画質にて印刷を行うフォト印刷機能（デジカメプリント機能）、及びプリンタ機能（印刷機能）を備える多機能装置に本発明を適用したが本発明はこれに限定されるものではない。
【００８４】
また、上述の実施形態では、選択された機能毎に異なる表示色にて表示することにより、表示形態を選択された機能毎に異ならせたが、本発明はこれに限定されるものではなく、例えば選択された機能毎に表示模様を異ならせる等して表示形態を選択された機能毎に異ならせてもよい。
【００８５】
また、上述の実施形態では、オプション項目も含めて同一色としたが、本発明はこれに限定されものではなく、例えばオプションは機能表示部位Ｂと同一色系としながら、その濃淡や明暗を異ならせる等してもよい。
【００８６】
また、上述の実施形態では、機能表示部位Ｂと入力情報表示部位Ａとを異なる表示色で表示することにより表示形態を異ならせたが、本発明はこれに限定されるものではなく、例えば表示模様を格子状にして異ならせる等して表示形態を異ならせてもよい。
【００８７】
また、上述の実施形態では、機能表示部位Ｂと入力情報表示部位Ａとを異なる表示色で表示したが、本発明はこれに限定されるものではない。
また、上述の実施形態では、ソフトウェアにて選択された機能毎に表示形態を異ならせたが、本発明はこれに限定されるものではなく、電気的なハード構成にて選択された機能毎に表示形態を異ならせるように構成してもよい。
【００８８】
また、上述の実施形態では、フォト印刷機能が選択された場合には、赤色を基調とした色彩（形態）で表示し、コピー印刷機能が選択された場合には、緑色を基調とした色彩（形態）で表示し、ファクシミリ機能が選択された場合には、青色を基調とした色彩（形態）で表示し、画像読み取り機能が選択された場合には、黄色を基調とした色彩で表示したが、本発明はこれに限定されるものではない。
【００８９】
また、上述の実施形態では、表示パネル１６に表示される表示形態を選択された機能毎に選択された機能に対応した形態を基調とした表示したが、本発明はこれに限定されるものではなく、例えば選択キー１１〜１４も選択された機能を表示する色彩と同様な色彩で発光させてもよい。
【００９０】
また、本発明は、特許請求の範囲に記載された発明の趣旨に合致するものであればよく、上述の実施形態に限定されるものではない。
【図面の簡単な説明】
【００９１】
【図１】本発明の実施形態に係る多機能装置１を上面からみた上面図である。
【図２】多機能装置１の電気的構成を示したブロック図である。
【図３】標準画像の一例を示す図ある。
【図４】フォト印刷機能が選択された場合の表示形態の一例を示す図である。
【図５】コピー印刷機能が選択された場合の表示形態の一例を示す図である。
【図６】ファクシミリ機能が選択された場合の表示形態の一例を示す図である。
【図７】画像読み取り機能が選択された場合の表示形態の一例を示す図である。
【図８】本発明の実施形態に係る多機能装置における表示パネル制御のメイン制御フローを示すフローチャートである。
【図９】フォト印刷機能が選択された場合の制御フローを示すフローチャートである。
【図１０】コピー印刷機能が選択された場合の制御フローを示すフローチャートである。
【図１１】ファクシミリ機能が選択された場合の制御フローを示すフローチャートである。
【図１２】画像読み取り機能が選択された場合の制御フローを示すフローチャートである。
【符号の説明】
【００９２】
１…多機能装置、２…操作パネル、３…電源スイッチ、４…停止／終了スイッチ、
５…カラースタートスイッチ、６…モノクロスタートスイッチ、
７…ポインティングキー、８…ＯＫキー、９…クリアキー、１０…メニューキー、
１１…デジカメプリントキー、１１…機能選択キー、１１…選択キー、
１２…コピーキー、１２…選択キー、１３…ファックスキー、１３…選択キー、
Ａ…入力情報表示部位、Ｂ…機能表示部位。
【図２】
0004701878.tif 000002
【図８】
0004701878.tif 000003
【図９】
0004701878.tif 000004
【図１０】
0004701878.tif 000005
【図１１】
0004701878.tif 000006
【図１２】
0004701878.tif 000007
【図１】
0004701878.tif 000008
【図３】
0004701878.tif 000009
【図４】
0004701878.tif 000010
【図５】
0004701878.tif 000011
【図６】
0004701878.tif 000012
【図７】
0004701878.tif 000013